(57)【特許請求の範囲】
【請求項１】
被検査物に一定の明度で光を照射する第１の照明部と、
前記被検査物に振動ノイズが発生した場合、前記被検査物に前記第１の照明部と同一の明度で光を照射できるよう設置された第２の照明部と、
前記第１の照明部及び第２の照明部を一定速度で交互にオン（ON）／オフ（OFF）させる照明制御部と、
前記第１の照明部及び第２の照明部が照らす前記被検査物の第１の画像及び第２の画像を取得する撮影部と、
前記被検査物に振動ノイズが発生した場合、前記第１の画像を前記第２の画像に差し替える映像処理部と
を備える、光学検査システム用振動ノイズ補正装置。
【請求項２】
前記映像処理部は、前記第１の画像に示された欠陥の欠陥幅が既設定された欠陥幅を超過するという条件、及び前記第１の画像に示された欠陥の欠陥長さが既設定された欠陥長さ未満であるという条件のうち、少なくとも一つの条件を満たす場合、前記被検査物に前記振動ノイズが発生したと判断する、請求項１に記載の光学検査システム用振動ノイズ補正装置。
【請求項３】
前記撮影部は、前記第１の照明部が照らす前記被検査物の第１の画像を取得する第１撮影部、及び
前記第２の照明部が照らす前記被検査物の第２の画像を取得する第２の撮影部を備える、請求項１に記載の光学検査システム用振動ノイズ補正装置。
【請求項４】
前記光学検査システム用振動ノイズ補正装置は、前記第１の照明部及び第２の照明部の照度値を測定する照度測定部をさらに備える、請求項１に記載の光学検査システム用振動ノイズ補正装置。
【請求項５】
前記照明制御部は、前記照度測定部の照度値の測定の結果、前記第１の照明部及び第２の照明部の照度値が初期照度値と異なる場合、前記第１の照明部及び第２の照明部の照度値を前記初期照度値に維持させる、請求項４に記載の光学検査システム用振動ノイズ補正装置。
【請求項６】
照明制御部が第１の照明部及び第２の照明部を一定速度で交互にオン（ON）／オフ（OFF）させる段階と、撮影部が前記第１の照明部及び第２の照明部が照らす被検査物の第１の画像及び第２の画像を取得する段階と、前記被検査物に振動ノイズが発生した場合、映像処理部が前記第１の画像を前記第２の画像に差し替える段階とを備える光学検査システム用振動ノイズ補正方法であって、前記第２の照明部は、前記振動ノイズが発生した場合、前記被検査物に前記第１の照明部と同一明度で光を照射できるよう設置される、光学検査システム用振動ノイズ補正方法。
【請求項７】
前記第１の画像を前記第２の画像に差し替える段階は、前記映像処理部が前記被検査物に振動ノイズが発生したか否かを判断する段階を備え、前記映像処理部は、前記第１の画像に示された欠陥の欠陥幅が既設定された欠陥幅を超過するという条件、及び前記第１の画像に示された欠陥の欠陥長さが既設定された欠陥長さ未満であるという条件のうち、少なくとも一つの条件を満たす場合、前記被検査物に前記振動ノイズが発生したと判断する、請求項６に記載の光学検査システム用振動ノイズ補正方法。
【請求項８】
前記第１の照明部及び第２の照明部を一定速度で交互にオン（ON）／オフ（OFF）させる段階以後に、照度測定部が前記第１の照明部及び第２の照明部の照度値を測定する段階と、前記第１の照明部及び第２の照明部の測定された照度値が初期照度値と異なる場合、前記照明制御部が前記第１の照明部及び第２の照明部の照度値を前記初期照度値で維持させる段階とをさらに備える、請求項６に記載の光学検査システム用振動ノイズ補正方法。
【発明の詳細な説明】
【技術分野】
【０００１】
本発明は、光学検査技術に関するものであり、より詳しくは、振動ノイズによる誤検知を防ぐことができる、光学検査システム用振動ノイズ補正装置及び方法に関するものである。
【背景技術】
【０００２】
光学検査システムとは、例えば、印刷回路基板、偏光フィルム、光学フィルム、位相差フィルム、離型フィルムなど、各種シート状製品の外観をカメラで撮影し、撮影された映像に基づき該当製品の欠陥、埃、異物、及びムラなどの不良があるか否かを検出するシステムのことである。
【０００３】
シート状製品は、一般的にロール・ツー・ロール（Roll-to-Roll）方式によって移動されることになるが、この時、モータの周期的な振動又は外部衝撃による不規則的な振動が生じることが有り得る。この場合、振動ノイズによって、光学検査システムで誤検知が発生するようになる。
【０００４】
例えば、偏光フィルムの場合、製造過程において染料の不均一な染着や、接着不良などによって偏光フィルムの延伸方向に筋状のムラが発生することがあるが、ムラが発生した偏光フィルムを光学カメラで撮影すると、撮影された映像はムラの発生した部分に明度のばらつきが発生するようになる。
【０００５】
しかしながら、検査過程で振動ノイズが発生した場合にも、撮影された映像に明度のばらつきが発生するようになる。即ち、図１に示すように、偏光フィルムの移動中に振動ノイズが発生すると、撮影された映像の中で振動ノイズが発生した部分に明度のばらつきが示されることを確認できる。ここで、Ｍ／Ｄ方向とは、偏光フィルムの移動方向を示すものである。この場合、明度のばらつきがムラによって発生したものか、或いは振動ノイズによって発生したものかの判断が難しくなり、誤検知が発生することになる。従って、検査過程中に振動ノイズが発生した時、振動ノイズによる誤検知を防止できる手段が求められている。
【発明の概要】
【発明が解決しようとする課題】
【０００６】
本発明は、振動ノイズによる誤検知を防止できる光学検査システム用振動ノイズ補正装置及び方法を提供することにその目的がある。
【課題を解決するための手段】
【０００７】
１．本発明の一実施形態による光学検査システム用振動ノイズ補正装置は、被検査物に一定の明度で光を照射する第１の照明部と、前記被検査物に振動ノイズが発生した場合、前記被検査物に前記第１の照明部と同一の明度で光を照射できるよう設置された第２の照明部と、前記第１の照明部及び第２の照明部を一定速度で交互にオン（ON）／オフ（OFF）させる照明制御部と、前記第１の照明部及び第２の照明部が照らす前記被検査物の第１の画像及び第２の画像を取得する撮影部と、前記被検査物に振動ノイズが発生した場合、前記第１の画像を前記第２の画像に差し替える映像処理部とを備える。
【０００８】
２．前記項目１において、前記映像処理部は、前記第１の画像に示された欠陥の欠陥幅が既設定された欠陥幅を超過するという条件、及び前記第１の画像に示された欠陥の欠陥長さが既設定された欠陥長さ未満であるという条件のうち、少なくとも一つの条件を満たす場合、前記被検査物に前記振動ノイズが発生したと判断する。
【０００９】
３．前記項目１において、前記撮影部は、前記第１の照明部が照らす前記被検査物の第１の画像を取得する第１の撮影部、及び前記第２の照明部が照らす前記被検査物の第２の画像を取得する第２の撮影部を備える。
【００１０】
４．前記項目１において、前記光学検査システム用振動ノイズ補正装置は、前記第１の照明部及び第２の照明部の照度値を測定する照度測定部をさらに備える。
【００１１】
５．前記照明制御部は、前記照度測定部の照度値の測定の結果、前記第１の照明部及び第２の照明部の照度値が初期照度値と異なる場合、前記第１の照明部及び第２の照明部の照度値を前記初期照度値に維持させる。
【００１２】
６．本発明の一実施形態による光学検査システム用振動ノイズ補正方法は、照明制御部が第１の照明部及び第２の照明部を一定速度で交互にオン（ON）／オフ（OFF）させる段階と、撮影部が前記第１の照明部及び第２の照明部が照らす被検査物の第１の画像及び第２の画像を取得する段階と、前記被検査物に振動ノイズが発生した場合、映像処理部が前記第１の画像を前記第２の画像に差し替える段階とを備えるものであり、前記第２の照明部は、前記振動ノイズが発生した場合、前記被検査物に前記第１の照明部と同一明度で光を照射できるよう設置される。
【００１３】
７．前記項目６において、前記第１の画像を前記第２の画像に差し替える段階は、前記映像処理部が前記被検査物に振動ノイズが発生したか否かを判断する段階を備えるものであり、前記映像処理部は、前記第１の画像に示された欠陥の欠陥幅が既設定された欠陥幅を超過するという条件、及び前記第１の画像に示された欠陥の欠陥長さが既設定された欠陥長さ未満であるという条件のうち、少なくとも一つの条件を満たす場合、前記被検査物に前記振動ノイズが発生したと判断する。
【００１４】
８．前記項目６において、前記第１の照明部及び第２の照明部を一定速度で交互にオン（ON）／オフ（OFF）させる段階以後に、照度測定部が前記第１の照明部及び第２の照明部の照度値を測定する段階と、前記第１の照明部及び第２の照明部の測定された照度値が初期照度値と異なる場合、前記照明制御部が前記第１の照明部及び第２の照明部の照度値を前記初期照度値で維持させる段階とをさらに備える。
【発明の効果】
【００１５】
本発明によると、検査過程中に振動ノイズが発生した場合、振動ノイズによる明度のばらつきが示された被検査物の第１の画像の代わりに、振動ノイズによる明度のばらつきが示されていない被検査物の第２の画像に差し替えて検査を遂行することによって、振動ノイズによる誤検知を防ぐことができるようになる。これによって、光学検査システムの信頼性及び正確性を向上させることができるようになる。
【図面の簡単な説明】
【００１６】
【図１】振動ノイズによる明度のばらつきを示した図である。
【図２】本発明の一実施形態による光学検査システム用振動ノイズ装置の概略的な構成を示した図である。
【図３】本発明の一実施形態による映像処理部が振動ノイズの発生有無を判断する状態を示した図である。
【図４】本発明の一実施形態による光学検査システム用振動ノイズ補正方法を示したフローチャートである。
【発明を実施するための形態】
【００１７】
以下、図２乃至図４を参照して、本発明の光学検査システム用振動ノイズ補正装置及び方法の具体的な実施形態を説明する。しかしながら、これらは例示としての実施形態に過ぎず、本発明はこれらに制限されるものではない。
【００１８】
本発明の説明にあたって、本発明に関わる公知技術に関する具体的な説明が、本発明の要旨を不要に逸脱し得ると判断される場合は、その詳細な説明を省略する。そして後述する用語は、本発明における機能を考慮して定義された用語であり、これは使用者、運用者の意図、又は慣例などによって変わり得る。従って、その定義は本明細書の全般にわたって記載された内容に基づいて定義されるべきである。
【００１９】
本発明の技術的思想は、特許請求の範囲の記載により決められ、以下の実施形態は、進歩的な本発明の技術的思想を、本発明が属する技術分野における通常の知識を有する者に対して効率的に説明するための一手段に過ぎない。
【００２０】
図２は、本発明の一実施形態による光学検査システム用振動ノイズ補正装置の概略的な構成を示した図である。
【００２１】
図２を参照すると、振動ノイズ補正装置１００は、第１の照明部１０２、第２の照明部１０４、照明制御部１０６、撮影部１０８、映像処理部１１０、及び照度測定部１１２を備える。
【００２２】
第１の照明部１０２は、照明制御部１０６によってオン（ON）又はオフ（OFF）動作が制御される。ここで、第１の照明部１０２による照明を通じて撮影部１０８が取得した映像を、第１の画像という。
【００２３】
第２の照明部１０４は、照明制御部１０６によってオン（ON）又はオフ（OFF）動作が制御される。この時、第２の照明部１０４は、第１の照明部１０２と交互にオン（ON）又はオフ（OFF）にされる。即ち、第２の照明部１０４は、第１の照明部１０２がオン（ON）になればオフ（OFF）になり、第１の照明部１０２がオフ（OFF）になればオン（ON）になる。
【００２４】
ここで、第２の照明部１０４による照明を通じて撮影部１０８が取得した映像を、第２の画像という。この時、第２の照明部１０４は振動ノイズが発生した場合、第２の画像の明度レベルが第１の画像の明度レベルと同一になる位置及び角度に予め調節され設置される。
【００２５】
具体的には、正常状態で第１の照明部１０２による照明が照らす地点を第１の検査地点とし、振動ノイズが発生した状態で第２の照明部１０４による照明が照らす地点を第２の検査地点とするならば、第２の検査地点で撮影部１０８によって取得した第２の画像の明度レベルが、第１の検査地点で撮影部１０８によって取得した第１の画像の明度レベルと同一になるように、第２の照明部１０４の位置及び角度を予め調節し設置する。換言すれば、第２の照明部１０４は振動ノイズが発生した場合、シート状製品１５０に第１の照明部１０２と同一明度で光を照射できるように予め調節され設置される。
【００２６】
第１の検査地点と第２の検査地点とは、例えば、数μｍ程度の差しか存在しないが、同一の照明を通じて第１の検査地点と第２の検査地点とで取得した映像では明度のばらつきが発生し、該当の明度のばらつきがシート状製品１５０の欠陥によるものか、或いは振動ノイズによるものかが区別し難くなる。
【００２７】
ここで、本発明の実施形態では、第２の検査地点で取得した第２の画像の明度レベルが、第１の検査地点で取得した第１の画像の明度レベルと同一になるように、第２の照明部１０４の位置及び角度を予め調節することによって、シート状製品１５０の欠陥検査の途中に振動ノイズが発生したとしても、撮影部１０８が正常状態と同一の明度レベルの第２の画像を取得することができるようになる。この場合、第２の画像には振動ノイズによる明度のばらつきは発生しなくなり、シート状製品１５０の欠陥による明度のばらつきのみが示されるため、振動ノイズによる誤検知を防ぐことができるようになる。これに対する詳しい説明は後述する。
【００２８】
照明制御部１０６は、第１の照明部１０２及び第２の照明部１０４のオン（ON）又はオフ（OFF）の動作を制御する。この時、照明制御部１０６は、一定速度（例えば、秒当たり４０Ｈｚ）で第１の照明部１０２及び第２の照明部１０４を交互にオン（ON）又はオフ（OFF）させる。即ち、照明制御部１０６は、一定速度で第１の照明部１０２をオン（ON）及び第２の照明部１０４をオフ（OFF）させた後、第１の照明部１０２をオフ（OFF）とし、且つ第２の照明部１０４をオン（ON）とする操作を繰り返し遂行する。
【００２９】
また、照明制御部１０６は、照度測定部１１２の測定結果によって第１の照明部１０２及び第２の照明部１０４の出力を調節し、第１の照明部１０２及び第２の照明部１０４の照度値が一定になるように維持させる。
【００３０】
撮影部１０８は、コンベアなどの移動手段によって移動するシート状製品１５０を撮影する。その時、撮影部１０８は、第１の照明部１０２の照明による第１の画像、及び第２の照明部１０４の照明による第２の画像を交互に連続して取得することになる。ここで、シート状製品１５０の欠陥検査の途中に振動ノイズが発生した場合、第１の画像には振動ノイズによる明度のばらつきが示されることになるが、第２の画像には振動ノイズによる明度のばらつきが示されなくなる。
【００３１】
映像処理部１１０は、第１の画像を通じて振動ノイズの発生有無を判断することができる。この時、映像処理部１１０は振動ノイズの発生状態によって、第１の画像又は第２の画像を検査用映像として使用する。
【００３２】
例えば、映像処理部１１０は、図３に示すように、第１の画像に示された欠陥１５１の欠陥幅ｄｘが既設定された欠陥幅ｋ１を超過するか否かを確認し、振動ノイズの発生有無を判断することができる。一般的に、振動ノイズによって第１の画像に示される欠陥（即ち、明度のばらつき）は、実際シート状製品のムラによる欠陥より第１の画像の幅方向で長く示されるようになる。従って、映像処理部１１０は、第１の画像に示された欠陥１５１の欠陥幅ｄｘが既設定された欠陥幅ｋ１を超過すれば、振動ノイズが発生したものと判断する。
【００３３】
映像処理部１１０は、振動ノイズの発生有無をより正確に判別するため、第１の画像に示された欠陥１５１の欠陥長さｄｙが、既設定された欠陥長さｋ２より短いか否かをさらに確認することができる。一般的に、振動ノイズによって第１の画像に示される欠陥（即ち、明度のばらつき）は、実際シート状製品のムラによる欠陥より第１の画像の長さ方向で短く示されるようになる。従って、映像処理部１１０は、第１の画像に示された欠陥１５１の欠陥長さｄｙが既設定された欠陥長さｋ２より短い場合、振動ノイズが発生したものと判断する。
【００３４】
ここでは、（１）第１の画像に示された欠陥の欠陥幅ｄｘ＞既設定された欠陥幅ｋ１、及び（２）第１の画像に示された欠陥の欠陥長さｄｙ＜既設定された欠陥長さｋ２、の二つの条件を満たす場合、振動ノイズが発生したと判断したが、これに限定されるものではなく、（１）の条件及び（２）の条件のうち、少なくとも一つを満たす場合は、振動ノイズが発生したものと判断することもできる。
【００３５】
映像処理部１１０は、振動ノイズが発生した場合、第１の画像を第２の画像に差し替え、検査用映像として使用することができる。ここで、第２の照明部１０４の位置及び角度は予め調節されているため、第２の画像の明度レベルは第１の画像の明度レベルと同一になる。このように、振動ノイズが発生した時、第１の画像を第２の画像に差し替えれば、振動ノイズによる明度のばらつきは示されず、シート状製品１５０の欠陥による明度のばらつきのみが示される検査用映像を得ることができるようになる。
【００３６】
例えば、コンベアベルトを駆動させるモータにより周期的に振動ノイズが発生する場合、映像処理部１１０は振動ノイズの発生周期によって、第１の画像と第２の画像とを周期的に結合し、検査用映像として使用することができる。そして、振動ノイズが非周期的に発生する場合、映像処理部１１０は第１の画像を基本映像とし、振動ノイズが発生した部分のみを第２の画像に差し替えて検査用映像として使用することができる。
【００３７】
ここで、照明制御部１０６は、例えば、秒当たり４０Ｈｚの速い速度で第１の照明部１０２及び第２の照明部１０４を交互にオン（ON）又はオフ（OFF）させるため、第１の画像及び第２の画像は連続的に撮影されることになり、一定時点で撮影された第１の画像と第２の画像とは、殆ど差が生じなくなる。従って、振動ノイズが発生した部分で第１の画像の代わりに第２の画像を差し替えて検査用映像として使用することを阻止しない。
【００３８】
一方、本明細書では、撮影部１０８が第１の画像と第２の画像との両方を取得すると説明したが、これに限定されるものではなく、第１の撮影部が第１の照明部１０２による照明を通じて第１の画像を取得し、第２の撮影部が第２の照明部１０４による照明を通じて第２の画像を取得するように具現することもできる。
【００３９】
また、本明細書では、映像処理部１１０が第１の画像を通じて振動ノイズが発生したか否かを判断すると説明したが、これに限定されるものではなく、別途の構成を通じて振動ノイズの発生有無を判断することもできる。例えば、別途の振動センサーを通じて振動ノイズの発生有無を判断することもできる。
【００４０】
照度測定部１１２は、第１の照明部１０２及び第２の照明部１０４の照度値を測定して照明制御部１０６に伝達する。これは第１の照明部１０２及び第２の照明部１０４の照度値を同一に維持させるためのものであり、第１の照明部１０２及び第２の照明部１０４の照度値が初期照度値と異なる場合、照明制御部１０６は第１の照明部１０２及び第２の照明部１０４の出力を調節し、第１の照明部１０２及び第２の照明部１０４の照度値が初期照度値を維持するようにする。
【００４１】
第１の照明部１０２及び第２の照明部１０４は、外部操作又は該当ランプの寿命などの問題によって初期照度値を逸脱し得る。従って、照度測定部１１２で第１の照明部１０２及び第２の照明部１０４の照度値をリアルタイムで測定することによって、第１の照明部１０２及び第２の照明部１０４の照度値を一定に維持させてくれる。
【００４２】
表１は、本発明の一実施形態による光学検査システム用振動ノイズ補正装置で、振動発生有無による検査地点、照明状態、及び検査用映像を示した表である。
【００４３】
【表１】
0005995658.tif 000002
【００４４】
表１を参照すると、正常状態では、第１の検査地点で第１の照明部１０２による照明で取得した第１の画像が検査用映像として使用され、振動ノイズ状態では第２の検査地点で第２の照明部１０４による照明で取得した第２の画像が検査用映像として使用されることが確認できる。
【００４５】
図４は、本発明の一実施形態による光学検査システム用振動ノイズ補正方法を示したフローチャートである。
【００４６】
図４を参照すると、第１の照明部１０２を設置した後、振動ノイズが発生した時、シート状製品１５０に第１の照明部１０２と同一明度で光を照射するように、第２の照明部１０４を設置する（段階Ｓ１０１）。
【００４７】
次に、照明制御部１０６が一定速度で第１の照明部１０２及び第２の照明部１０４を交互にオン（ON）又はオフ（OFF）させる（段階Ｓ１０３）。
【００４８】
次に、撮影部１０８が第１の照明部１０２及び第２の照明部１０４の照らす、シート状製品１５０の第１の画像及び第２の画像を取得する（段階Ｓ１０５）。
【００４９】
次に、映像処理部１１０が、第１の画像を通じて振動ノイズの発生有無を判断する（段階Ｓ１０７）。第１の画像において、振動ノイズによる明度のばらつきはシート状製品１５０の実際の欠陥による明度のばらつきとは異なるパターンを有して示されるため、振動ノイズの発生有無を判断することができるようになる。例えば、映像処理部１１０は、第１の画像に示された欠陥の欠陥幅及び欠陥長さを通じて、振動ノイズの発生有無を判断することができる。
【００５０】
段階Ｓ１０７の判断結果、振動ノイズが発生した場合、映像処理部１１０は第１の画像を第２の画像に差し替えて検査用映像として使用する（段階Ｓ１０９）。
【００５１】
段階Ｓ１０７の判断結果、振動ノイズが発生していない場合、映像処理部１１０は第１の画像を検査用映像として使用する（段階Ｓ１１１）。
【００５２】
本発明の実施形態によると、検査過程中に振動ノイズが発生した場合、振動ノイズによる明度のばらつきが示された第１の画像の代わりに第２の画像を使用して検査を遂行することによって、振動ノイズによる誤検知を防ぐことができるようになる。これによって、光学検査システムの信頼性及び正確性を向上させることができるようになる。
【００５３】
以上、代表的な実施形態を通じて本発明について詳しく説明したが、本発明が属する技術分野における通常の知識を有する者は、上述した実施形態に対して本発明の範疇から逸脱しない範囲内で、様々な変形が可能であることを理解する。従って、本発明の権利範囲は、説明した実施形態に限定して定めてはならず、後述する特許請求の範囲のみならず、この特許請求の範囲と均等なものなどによって定められなければならない。
【符号の説明】
【００５４】
１０２：第１の照明部
１０４：第２の照明部
１０６：照明制御部
１０８：撮影部
１１０：映像処理部
１１２：照度測定部
【図２】
0005995658.tif 000003
【図３】
0005995658.tif 000004
【図４】
0005995658.tif 000005
【図１】
0005995658.tif 000006